(57)【要約】【課題】複数の製造受託会社に製造委託した場合において、新たなシステムの開発コストを発生することなく、複数の製造受託会社の情報の一元管理を容易にする。【解決手段】複数の製造会社１５ａ，１５ｂの生産進捗情報を一元管理する生産進捗情報データベース１１と、共通仕様に基づいて伝送された複数の製造会社１５ａ，１５ｂの生産進捗情報を生産進捗情報データベース１１に格納処理する生産進捗データ格納処理手段１２と、生産進捗情報データベース１１において管理されている情報から製造委託元１６ａ，１６ｂの要求に応じて必要な情報を抽出し、表示データを作成処理する表示データ作成処理手段１３とを有し、表示データは製造委託元１６ａ，１６ｂの端末へ伝送されデータ表示処理されることを特徴とする。【選択図】        図１
2004252613.tif 000002
【特許請求の範囲】
【請求項１】
複数の製造会社の生産進捗情報を一元管理するデータベースと、
共通仕様に基づいて伝送された前記複数の製造会社の生産進捗情報を前記データベースに格納処理する手段と、
前記データベースにおいて管理されている情報から製造委託元の要求に応じて必要な情報を抽出し、表示データを作成処理する手段とを有し、
前記表示データは、製造委託元の端末へ伝送され表示処理されることを特徴とする情報提供システム。
【請求項２】
請求項１記載の情報提供システムであって、
前記製造委託元の端末への伝送は、インターネットを利用することを特徴とする情報提供システム。
【請求項３】
複数の製造会社の生産進捗情報を一元管理する製造委託元のデータベースと、
共通仕様に基づいて伝送された前記複数の製造会社の生産進捗情報を前記データベースに格納処理する製造委託元に設けた格納処理手段と、
前記データベースにおいて管理されている情報から必要な情報を抽出し、表示データを作成処理する製造委託元に設けた表示データ作成処理手段と、
前記表示データを製造委託元に設けた端末に表示処理する手段とを有することを特徴とする情報提供システム。
【請求項４】
請求項１から３のいずれか１項に記載の情報提供システムであって、
前記表示データの表示処理において、前記複数の製造会社の情報が前記端末の同一画面上に表示されることを特徴とする情報提供システム。
【請求項５】
請求項１から４のいずれか１項に記載の情報提供システムであって、
前記データベースにおいて管理される情報には、製造会社、品種、ロット番号、数量、仕掛工程及び完成予定日の情報が含まれることを特徴とする情報提供システム。
【請求項６】
請求項５項記載の情報提供システムであって、
前記データベースにおいて管理される情報には、さらに品質情報が含まれることを特徴とする情報提供システム。
【請求項７】
請求項１から４のいずれか１項に記載の情報提供システムであって、
前記データベースにおいて管理される情報は、生産進捗情報に代えて、品質情報であることを特徴とする情報提供システム。
【請求項８】
共通仕様に基づいて伝送された複数の製造会社の生産進捗情報をデータベースに格納処理するステップと、
前記データベースにおいて管理されている情報から製造委託元の要求に応じて必要な情報を抽出し、表示データを作成処理するステップと、
前記表示データを製造委託元の端末へ伝送するステップとを有することを特徴とする情報提供方法。
【請求項９】
請求項８記載の情報提供方法であって、
前記製造委託元の端末への伝送は、インターネットを利用することを特徴とする情報提供方法。
【請求項１０】
共通仕様に基づいて伝送された複数の製造会社の生産進捗情報を製造委託元のデータベースに格納処理するステップと、
前記データベースにおいて管理されている情報から必要な情報を抽出し、表示データを作成処理するステップと、
前記表示データを製造委託元の端末に表示処理するステップとを有することを特徴とする情報提供方法。
【発明の詳細な説明】
【０００１】
【発明の属する技術分野】
本発明は、情報提供システム及び情報提供方法に関し、特に、複数の製造会社に製造を委託する場合の生産進捗情報又は品質情報などを一元管理するシステムに適用して有効な技術に関する。
【０００２】
【従来の技術】
昨今、製造業界においては、設計と製造の分業化が進んできている。また、ＳＣＭ（サプライ・チェーン・マネジメント）の導入などによる在庫の圧縮化が活発であり、生産進捗及び在庫情報の一元管理が重要となっている。
【０００３】
一方、製造工場を持たないファブレスメーカは、品種形態、生産ＴＡＴ（ターン・アラウンド・タイム）及び生産コストに応じて、最適な製造受託会社を選択している。
【０００４】
そのため、ファブレスメーカ（製造委託元）と製造受託会社との関係は、ｎ対ｍ（ｎ，ｍ：２以上の数）の複数の会社が交錯する複雑な形態となってきている。
【０００５】
このような状況下において、ファブレスメーカは、製造委託している自社製品の生産進捗状況を管理するため、製造委託先である製造受託会社から個別に生産進捗情報を収集している。
【０００６】
しかし、収集した生産進捗情報は、製造受託会社ごとにデータ仕様が異なる。そのため、複数の製造受託会社の生産進捗情報を一元管理するため、個々のファブレスメーカにおいて収集した情報を同一フォーマットに加工するか、製造受託会社において顧客であるファブレスメーカの仕様に応じて情報を個別に加工していた。
【０００７】
また、生産進捗情報などのデータを一元管理するシステムも存在するが（例えば、特許文献１参照）、これらのシステムは、共通仕様を利用するものではなく、データを一箇所に集めるという点に主眼を置いたものであった。また、製造受託会社１社が保有する複数の工場の情報が管理の対象であり、複数の会社の情報を一元管理するものではない（例えば、特許文献２〜５参照）。そのため、ファブレスメーカが複数の製造受託会社に製造委託した場合、個別に生産進捗管理システム用のインターフェイスが必要であった。
【０００８】
【特許文献１】
特開平１１−２５０１２９号公報
【０００９】
【特許文献２】
特開２００１−３１２５３６号公報
【００１０】
【特許文献３】
特開２００１−３２６１５１号公報
【００１１】
【特許文献４】
特開２００２−１５０３０号公報
【００１２】
【特許文献５】
特開２００２−１４９７４７号公報
【００１３】
【発明が解決しようとする課題】
ところで、前記のような生産進捗情報などのデータを一元管理する方法について、本発明者が検討した結果、以下のようなことが明らかとなった。
【００１４】
例えば、製造受託会社が、インターネットを介し顧客別にブラウザ上にて生産進捗情報を提供する場合、顧客であるファブレスメーカ側で、異なる製造受託会社から供給されるそれぞれの生産進捗情報を、自社フォーマットに変換し、自社の生産進捗管理システムに取り込まなければならない。
【００１５】
また、製造受託会社側で顧客の仕様に合わせた生産進捗情報のデータを作成し、顧客のシステムへデータを伝送する場合、顧客ごとに生産進捗管理システムの伝送フォーマットが異なるため、製造受託会社は顧客ごとの仕様に合わせてデータを作成しなければならない。
【００１６】
よって、ファブレスメーカが複数の製造受託会社に製造委託した場合、ファブレスメーカ側で生産進捗情報などのデータを一元管理するには、個別にデータ変換管理機能の開発が必要となり、生産進捗管理システムの開発コストが発生し、生産進捗情報の一元管理を困難にしていた。
【００１７】
そこで、本発明の目的は、複数の製造受託会社に製造委託した場合において、新たなシステムの開発コストを発生することなく、複数の製造受託会社の情報の一元管理を容易にすることにある。
【００１８】
本発明の前記並びにその他の目的と新規な特徴は、本明細書の記述及び添付図面から明らかになるであろう。
【００１９】
【課題を解決するための手段】
本願において開示される発明のうち、代表的なものの概要を簡単に説明すれば、次のとおりである。
【００２０】
（１）本発明による情報提供システムは、複数の製造会社の生産進捗情報を一元管理するデータベースと、共通仕様に基づいて伝送された複数の製造会社の生産進捗情報をデータベースに格納処理する手段と、データベースにおいて管理されている情報から製造委託元の要求に応じて必要な情報を抽出し、表示データを作成処理する手段とを有し、表示データは製造委託元の端末へ伝送され表示処理されることを特徴とするものである。
【００２１】
（２）前記（１）の情報提供システムは、製造委託元の端末への伝送が、インターネットを利用することを特徴とするものである。
【００２２】
（３）本発明による情報提供システムは、複数の製造会社の生産進捗情報を一元管理するデータベースと、共通仕様に基づいて伝送された複数の製造会社の生産進捗情報をデータベースに格納処理する手段と、データベースにおいて管理されている情報から必要な情報を抽出し、表示データを作成処理する手段と、表示データを端末に表示処理する手段とを有することを特徴とするものである。
【００２３】
（４）前記（１）〜（３）の情報提供システムは、表示データの表示処理において、複数の製造会社の情報が端末の同一画面上に表示されることを特徴とするものである。
【００２４】
（５）前記（１）〜（４）の情報提供システムは、データベースにおいて管理される情報には、製造会社、品種、ロット番号、数量、仕掛工程及び完成予定日の情報が含まれることを特徴とするものである。
【００２５】
（６）前記（５）の情報提供システムは、データベースにおいて管理される情報には、さらに品質情報が含まれることを特徴とするものである。
【００２６】
（７）前記（１）〜（４）の情報提供システムは、データベースにおいて管理される情報が、生産進捗情報に代えて、品質情報であることを特徴とするものである。
【００２７】
（８）本発明による情報提供方法は、共通仕様に基づいて伝送された複数の製造会社の生産進捗情報をデータベースに格納処理するステップと、データベースにおいて管理されている情報から製造委託元の要求に応じて必要な情報を抽出し、表示データを作成処理するステップと、表示データを製造委託元の端末へ伝送するステップとを有することを特徴とするものである。
【００２８】
（９）前記（８）の情報提供方法は、製造委託元の端末への伝送が、インターネットを利用することを特徴とするものである。
【００２９】
（１０）本発明による情報提供方法は、共通仕様に基づいて伝送された複数の製造会社の生産進捗情報をデータベースに格納処理するステップと、データベースにおいて管理されている情報から必要な情報を抽出し、表示データを作成処理するステップと、表示データを端末に表示処理するステップとを有することを特徴とするものである。
【００３０】
よって、前記（１）〜（７）の情報提供システム及び前記（８）〜（１０）の情報提供方法によれば、製造委託元が複数の製造会社に製造委託する場合、新たなシステムの開発コストを発生することなく、複数の製造会社の情報の一元管理を容易に行うことが可能となる。
【００３１】
【発明の実施の形態】
以下、本発明の実施の形態を図面に基づいて詳細に説明する。なお、実施の形態を説明するための全図において、同一部材には同一の符号を付し、その繰り返しの説明は省略する。
【００３２】
（実施の形態１）
図１は、本発明の実施の形態１の情報提供システムの構成及び情報の流れを示す構成図である。
【００３３】
まず、図１により、本実施の形態１の情報提供システムの構成の一例を説明する。本実施の形態１の情報提供システムは、例えば、コンピュータを利用したシステムとされ、生産進捗情報データベース１１、生産進捗データ格納処理手段１２、表示データ作成処理手段１３、データ表示処理手段１４などから構成されている。
【００３４】
生産進捗情報データベース１１は、複数の製造会社の生産進捗情報を一元管理するデータベースである。
【００３５】
生産進捗データ格納処理手段１２は、共通仕様に基づいて伝送された複数の製造会社の生産進捗情報を生産進捗情報データベース１１に格納処理する手段であり、ハードウェア又はソフトウェアで構成される。
【００３６】
表示データ作成処理手段１３は、生産進捗情報データベース１１において管理されている情報から製造委託元の要求に応じて必要な情報を抽出し、表示データを作成処理する手段であり、ハードウェア又はソフトウェアで構成される。
【００３７】
データ表示処理手段１４は、製造委託元のユーザ端末において、複数の製造会社の生産進捗情報を表示するものである。
【００３８】
次に、本実施の形態１の情報提供システムの利用態様の一例を説明する。製造委託元１６ａ，１６ｂは、ファブレスメーカなどであり、自社製品の製造を製造会社１５ａ，１５ｂなどへ委託する会社である。製造会社１５ａ，１５ｂは、ファブレスメーカなどの製造委託元１６ａ，１６ｂなどから製造委託を受けた製造受託会社である。データ管理会社１７は、本実施の形態１の情報提供システムを保有し、製造会社１５ａ，１５ｂなどにおける生産進捗情報などの情報を一元管理し、製造委託元１６ａ，１６ｂなどに対して情報提供サービスを行う独立した会社である。図１では、製造委託元及び製造会社は、それぞれ２社ずつ示してあるが、製造委託元は１社だけでもよく３社以上であってもよい。また、製造会社は３社以上であってもよい。さらに、図１では、製造委託元に表示装置（ユーザ端末）が２台ずつ示されているが、１台だけでもよく３台以上あってもよい。
【００３９】
まず、製造会社１５ａ，１５ｂなどは、各製造会社の生産進捗情報を共通仕様に基づいてデータ管理会社１７へ伝送する。
【００４０】
データ管理会社１７は、複数の製造会社１５ａ，１５ｂなどから共通の仕様に基づいて伝送された生産進捗情報を収集する。
【００４１】
そして、生産進捗データ格納処理手段１２により、製造委託元及び製造会社によらず、共通の生産進捗情報データベース１１に、収集した情報のデータ取り込み処理を行う。すなわち、製造会社１５ａ，１５ｂなどから共通の仕様で伝送された生産進捗情報について、製造会社によらず、同一の制御プログラムで生産進捗情報データベース１１へのデータ取り込み処理を行う。
【００４２】
共通のデータ仕様としては、少なくとも以下の項目について統一性を有することとする。
（１）伝送データファイル識別子
（ａ）製造会社
（ｂ）データ作成日時又はデータ伝送日時
（２）データ項目
（ａ）製造会社
（ｂ）品種
（ｃ）ロット番号
（ｄ）数量
（ｅ）仕掛工程
（ｆ）完成予定日
データ管理会社１７は、生産進捗情報データベース１１において、複数の製造会社１５ａ，１５ｂなどの生産進捗情報を同一の制御プログラムで一元管理する。
【００４３】
そして、製造委託元１６ａ，１６ｂなどのユーザ端末から入力される情報表示要求のトランザクションに応じ、同一の制御プログラムである表示データ作成処理手段１３を用いて、生産進捗情報データベース１１から必要なデータを抽出し、表示データを作成処理する。
【００４４】
そして、インターネットなどを利用して、ブラウザを介して製造委託元のコンピュータシステム上の端末画面上に処理結果を表示する。
【００４５】
また、ブラウザを介して情報を提供する代わりに、データ管理会社１７から製造委託元１６ａ，１６ｂなどへデータ閲覧用ソフトを提供してもよい。
【００４６】
また、製造委託元への生産進捗情報の提供において、製造委託元のユーザ端末上に生産進捗情報を表示する際、異なる複数の製造会社の生産進捗情報を同一画面上に表示することも可能とする。このようにすることにより、製造委託元において、異なる複数の製造会社における生産進捗情報の一元管理が容易となる。
【００４７】
図２は、製造委託元のユーザ端末の表示画面の一例を示す構成図である。図２では、製造会社ごとの生産進捗情報が画面表示されており、生産進捗情報の項目として、製造会社、品種、完成予定日、ロット番号、数量、仕掛工程などが表示されている。例えば、図２（ａ）では「ＸＸ（月）／ＹＹ＋１（日）にＡ会社にて品種ＡＡＡが５０個完成予定」「ＸＸ（月）／ＹＹ＋１（日）にＢ会社にて品種ＡＡＡが５０個完成予定」という生産進捗情報を読み取ることができる。異なる複数の製造会社の情報が、同一画面上に表示されるため、製造委託元において、複数の製造会社の生産進捗管理が容易となる。
【００４８】
生産進捗情報データベース１１へのデータ取り込みからデータベース管理及びユーザ端末への生産進捗情報の表示までの一連の制御プログラムは、製造委託元・製造会社によって異ならず、同一の制御プログラムで対応可能である。
【００４９】
また、前記機能を備えた本実施の形態１の情報提供システムを保有する一企業が、情報提供サービスを行うデータ管理会社として、複数の製造委託元に対して、各製造会社の生産進捗情報の管理及び生産進捗情報の提供サービスを行う。
【００５０】
したがって、製造委託元と製造会社との間に介在する情報提供サービスを行うデータ管理会社が、生産進捗情報のデータ収集から表示データ作成処理まで集中して行うため、製造委託元は、データ閲覧用にブラウザを保持しておればよく、自社製品の製造を委託した複数の製造会社の生産進捗情報の管理を容易に行うことができる。
【００５１】
また、収集する生産進捗情報のデータ仕様が製造会社によらず同一であり、データ取り込みから表示データの作成処理まで同一プログラムで実現できるため、データ管理会社におけるシステム開発工数も少ない。そのため、製造委託元が新規の製造受託会社を採用するにあたって、生産進捗情報の提供開始までの工数が短く、新規製造受託会社の展開の迅速化が図れる。
【００５２】
よって、本実施の形態１の情報提供システムによれば、製造委託元において、製造を委託した複数の製造会社の生産進捗情報の一元管理が容易となる。
【００５３】
また、製造委託元において、生産進捗情報管理システムの開発及び管理工数が削減される。
【００５４】
また、製造会社において、顧客である製造委託元ごとへの生産進捗情報提供のカスタマイズ工数が削減される。
【００５５】
本実施の形態１の情報提供システムは、とくに、企業間での設計・製造の分業化がもっとも進んでいる半導体業界における生産進捗管理システムに効果がある。また、家電製品業界、電子部品業界などの生産進捗管理システムへの適用も可能である。
【００５６】
（実施の形態２）
図３は、本発明の実施の形態２の情報提供システムの構成及び情報の流れを示す構成図である。
【００５７】
まず、図３により、本実施の形態２の情報提供システムの構成の一例を説明する。本実施の形態２の情報提供システムは、前記実施の形態１の変形例であり、前記実施の形態１ではデータ管理会社が保有していた生産進捗情報データベースを製造委託元が個別に保有する形態である。
【００５８】
本実施の形態２の情報提供システムは、例えば、コンピュータを利用したシステムとされ、生産進捗情報データベース２１、生産進捗データ格納処理手段２２、表示データ作成処理手段２３、データ表示処理手段２４などから構成されている。
【００５９】
それぞれの機能は、前記実施の形態１と同じであるが、各製造委託元が、同一の制御プログラムを保有する点が異なる。
【００６０】
次に、本実施の形態１の情報提供システムの利用態様の一例を説明する。製造委託元２６ａ，２６ｂは、ファブレスメーカなどであり、自社製品の製造を製造会社２５ａ，２５ｂなどへ委託する会社であり、本実施の形態２の情報提供システムを保有する。製造会社２５ａ，２５ｂは、ファブレスメーカなどの製造委託元２６ａ，２６ｂなどから製造委託を受けた製造受託会社である。図３では、製造委託元及び製造会社は、それぞれ２社ずつ示してあるが、製造委託元は１社だけでもよく３社以上であってもよい。また、製造会社は３社以上であってもよい。さらに、図３では、製造委託元に表示装置（ユーザ端末）が２台ずつ示されているが、１台だけでもよく３台以上あってもよい。
【００６１】
まず、製造会社２５ａ，２５ｂなどは、前記実施の形態１と同様にして、各製造会社の生産進捗情報を共通仕様に基づいて製造委託元２６ａ，２６ｂなどへ伝送する。
【００６２】
そして、製造委託元２６ａ，２６ｂなどでは、生産進捗データ格納処理手段２２により、データ供給元の製造会社によらず、共通の制御プログラムで生産進捗情報データベース２１へデータを格納する。
【００６３】
製造委託元２６ａ，２６ｂなどでは、表示データ作成処理手段２３及びデータ表示処理手段２４により、ユーザ端末から入力されるトランザクションに応じて、必要な情報を生産進捗情報データベース２１から抽出し、ユーザ端末の画面上に表示する。
【００６４】
ユーザ端末の画面上への生産進捗情報の表示は、前記実施の形態１と同じように、複数の製造会社の情報を同一画面上に表示することを可能とする。
【００６５】
生産進捗データ格納処理から生産進捗情報表示までの一連の制御プログラムは、製造委託元によらず、共通に使用できる。
【００６６】
したがって、本実施の形態２の情報提供システムによれば、生産進捗情報データベース２１を製造委託元２６ａ，２６ｂが個別に保有する形態においても、前記実施の形態１と同様の効果を得ることができる。
【００６７】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【００６８】
例えば、前記実施の形態においては、生産進捗情報管理システムについて説明したが、これに限定されるものではなく、製造委託元と製造会社間で品質情報、解析情報などを授受する場合の品質管理システムなどについても適用可能である。特に、企業間で設計・製造の分業化が進んでいる業界になるほど、本発明の効果は大きい。
【００６９】
以上の説明では、主として本発明者によってなされた発明をその属する技術分野である生産管理システムに適用した場合について説明したが、これに限定されるものではなく、例えば、物流管理システムなどに適用することも可能である。
【００７０】
【発明の効果】
本願において開示される発明のうち、代表的なものによって得られる効果を簡単に説明すれば、以下のとおりである。
【００７１】
（１）製造委託元において、複数の製造会社の生産進捗情報などの情報の一元管理が容易になる。
【００７２】
（２）製造委託元において、生産進捗情報管理システムなど生産管理システムの開発及び管理の工数が削減される。
【００７３】
（３）製造委託元において、新規の製造会社への展開が迅速化される。
【００７４】
（４）製造会社において、顧客である製造委託元ごとへの生産進捗情報提供のカスタマイズ工数が削減される。
【図面の簡単な説明】
【図１】本発明の実施の形態１の情報提供システムの構成及び情報の流れを示す構成図である。
【図２】製造委託元のユーザ端末の表示画面の一例を示す構成図である。
【図３】本発明の実施の形態２の情報提供システムの構成及び情報の流れを示す構成図である。
【符号の説明】
１１，２１  生産進捗情報データベース
１２，２２  生産進捗データ格納処理手段
１３，２３  表示データ作成処理手段
１４，２４  データ表示処理手段
１５ａ，１５ｂ，２５ａ，２５ｂ  製造会社
１６ａ，１６ｂ，２６ａ，２６ｂ  製造委託元
１７  データ管理会社
【図１】
2004252613.tif 000003
【図２】
2004252613.tif 000004
【図３】
2004252613.tif 000005